(57)【要約】【課題】ヒーターの輻射熱による商品収納庫床面の温度上昇を低減できるようにして、庫外への放熱量の抑制、及び消費電力量の低減を図れるようにする。【解決手段】商品収納庫１の床面１９上に設置されて循環ダクト１１に連なる風胴内に、少なくとも商品収納庫１内の空気を循環するための送風手段９と循環空気を加熱するヒーター７とを設ける。また、風胴内には、そのヒーター設置部空間３０を下部空間３２ａと上部空間３２ｂとに画成する仕切板３１を設け、少なくとも上部空間３２ｂを循環空気が通る通路として構成し、この通路内の頂壁に、ヒーター７を固定する。【選択図】図１
2010191765.tif 000002
【特許請求の範囲】
【請求項１】
商品収納庫の床面上に設置されて循環ダクトに連なる風胴内に、少なくとも商品収納庫内の空気を循環するための送風手段と該循環空気を加熱するヒーターとを備えてなる自動販売機において、
前記風胴内の前記ヒーター設置部空間を下部空間と上部空間とに画成する仕切板を設け、少なくとも前記上部空間を前記循環空気が通る通路として構成し、該通路内の頂壁に、前記ヒーターを固定したことを特徴とする自動販売機。
【請求項２】
前記下部空間と前記上部空間とは、前記循環空気が通る２系統の通路として構成されていることを特徴とする請求項１記載の自動販売機。
【請求項３】
前記下部空間の周壁を、熱伝導率の小さい部材により構成したことを特徴とする請求項１記載の自動販売機。
【請求項４】
商品収納庫の床面上に設置されて循環ダクトに連なる風胴内に、少なくとも商品収納庫内の空気を循環するための送風手段と該循環空気を加熱するヒーターとを備えてなる自動販売機において、
前記風胴の前記ヒーター設置部と前記商品収納庫の前記床面との間に断熱空間を形成するとともに、前記ヒーター設置部を、前記床面との接触面積が小さい複数の脚部材により支持させたことを特徴とする自動販売機。
【発明の詳細な説明】
【技術分野】
【０００１】
本発明は、缶、ビン、パック、ペットボトル等の容器に入れた飲料等の商品を加熱もしくは、冷却して販売に供する自動販売機に関する。
【背景技術】
【０００２】
図５及び図６は従来の自動販売機を示すものであって、図５は全体の縦断面図、図６はその冷却専用の冷凍回路図である。
【０００３】
従来の自動販売機１００は、図５及び図６のように内部が複数室に断熱区画された筐体からなる商品収納庫１と、商品収納庫１の内部空気を冷却して庫内温度を所定の温度（低温）にするための冷却装置５と、商品収納庫１の内部空気を加熱して庫内温度を所定の温度（高温）にするためのヒーター７とを有している。なお、ここでいう商品３とは、缶、ビン、ペットボトル等の容器に入れた飲料等の商品であって、商品そのものまたは商品が封入された容器を指している。
【０００４】
商品収納庫１の前面壁１２（図中、左側）の下部には、製品取り出し用の商品搬出口１０が設けられ、商品搬出口１０に向かって傾斜したシューター２が配置され、シューター２が商品収納庫１の内部を上下に仕切っている。
そして、シューター２の上方に商品３を集積するための商品ラック４が配置され、シューター２の下方に熱交換室８が配置されている。
【０００５】
さらに、商品収納庫１の後面壁１３（図中、右側）と略平行に、循環ダクト１１が配置されている。循環ダクト１１の上部には商品ラック４の位置に到達して開口する循環ダクト吸い込み口１７が、循環ダクト１１の下方には熱交換室８に連通して開口する循環ダクト吹き出し口１５がそれぞれ設けられている。
したがって、送風手段９（以下、庫内ファンと称す）によって送られた空気は、商品ラック４の内部を経由して循環ダクト１１に吸い込まれ商品収納庫１内を循環することになる。
【０００６】
熱交換室８は、商品収納庫１の床面１９に設置され、循環ダクト１１の循環ダクト吹き出し口１５に連通している。そして、商品収納庫１内の空気を所定の温度に維持するための加熱／冷却手段（ヒーター７及び蒸発器６）と、これらの間に配置されて商品収納庫１内の空気を循環するための庫内ファン９とが収容されている。なお、ヒーター７は、熱交換室８の頂壁側に固定されて垂下している。
したがって、循環ダクト１１を下降した空気は、最初に蒸発器６を通過し、次に庫内ファン９に吸引され、最後にヒータ７を通過する。
【０００７】
冷却装置５は、図６のように冷媒を圧縮する圧縮機２１と、圧縮機２１により圧縮された冷媒を冷却する凝縮器２２と、凝縮器２２により冷却された冷媒を膨張させる膨張弁２３と、商品収納庫１の各室に対応して複数設けられて膨張弁２３により膨張された冷媒を蒸発させる蒸発器６と、これら複数の蒸発器６のうち所定の蒸発器に対して冷媒を供給する冷媒分配手段である複数の電磁弁２４とから構成されている。
【０００８】
そして、蒸発器６は商品収納庫１の各室内に設置され、収納された商品を冷却している。つまり蒸発器６は、商品収納庫１の外部（下方）に設置されている冷却ユニット（圧縮機２１、凝縮器２２、電磁弁２４）に接続され、所定の冷熱が供給されるものであって、蒸発器６とヒーター７は商品の種類や季節の変化に応じて適宜使い分けられている。なお、凝縮器２２は庫外ファン２５を有する。
【０００９】
シューター２は、前方（図中、左側）に向けて漸次低くなるように傾斜し、商品ラック４から落下した商品３を商品搬出口１０にまで送り出すものである。また、シューター２には、庫内ファン９によって熱交換室８から吹き出された空気（加熱または冷却された空気）をシューター２の上方に流して、商品収納庫１の内部で循環させるための通気穴（図示しない）が穿設されている。
【００１０】
従来の自動販売機１００は以上の構成であるから、庫内ファン９によって吹き出された空気（加熱または冷却された空気）は、シューター２の上方に吹き出して、商品ラック４において商品３と熱交換され、循環ダクト１１を経由して再度熱交換室８に吸い込まれる。すなわち、商品収納庫１内の空気は、熱交換を繰り返しながら循環することになる。
例えば、冷却装置５を稼働して蒸発器６に冷熱を供給すると、蒸発器６において冷却された空気が通気穴を経由して商品ラック４に向けて吹き出し、商品ラック４に集積した商品３を冷却する。そして、暖まった空気は循環ダクト１１を経由して再度蒸発器６に戻ってくる。
一方、ヒーター７を稼働した場合には、加熱された空気が通気穴を経由して商品ラック４に向けて吹き出し、商品ラック４に集積した商品３を加熱する。そして、冷めた空気は循環ダクト１１を経由して再度ヒーター７に戻ってくる（例えば、特許文献１参照）。
【先行技術文献】
【特許文献】
【００１１】
【特許文献１】特開平１０−１８８１１２号公報（第２−３頁、図１）
【発明の概要】
【発明が解決しようとする課題】
【００１２】
このように、この種の自動販売機の商品加熱は、庫内に設置したヒーター７で行っている。すなわち、商品を加熱するための温熱生成はヒーター７をオンし、さらに周囲に庫内ファン９からの空気を通風させることで、ヒーター７の発熱を空気が授熱している。
【００１３】
ところで、温熱生成時、ヒーター表面温度は約５００℃に達し、ヒーター７の周囲に空気を送風しても、輻射熱で床面１９が１００℃以上に加熱される。このため、床面１９から庫外への放熱量が大きくなり、消費電力量が増加する。
【００１４】
本発明の技術的課題は、ヒーターの輻射熱による商品収納庫床面の温度上昇を低減できるようにして、庫外への放熱量の抑制、及び消費電力量の低減を図れるようにすることにある。
【課題を解決するための手段】
【００１５】
（１）本発明に係る自動販売機は、下記の構成からなるものである。すなわち、商品収納庫の床面上に設置されて循環ダクトに連なる風胴内に、少なくとも商品収納庫内の空気を循環するための送風手段と循環空気を加熱するヒーターとを備えてなる自動販売機において、風胴内のヒーター設置部空間を下部空間と上部空間とに画成する仕切板を設け、少なくとも上部空間を循環空気が通る通路として構成し、この通路内の頂壁に、ヒーターを固定したものである。
【００１６】
（２）本発明に係る自動販売機は、下部空間と上部空間とが、循環空気が通る２系統の通路として構成されているものである。
【００１７】
（３）本発明に係る自動販売機は、下部空間の周壁を、熱伝導率の小さい部材により構成したものである。
【００１８】
（４）本発明に係る自動販売機は、下記の構成からなるものである。すなわち、商品収納庫の床面上に設置されて循環ダクトに連なる風胴内に、少なくとも商品収納庫内の空気を循環するための送風手段と循環空気を加熱するヒーターとを備えてなる自動販売機において、風胴のヒーター設置部と商品収納庫の床面との間に断熱空間を形成するとともに、ヒーター設置部を、床面との接触面積が小さい複数の脚部材により支持させたものである。
【発明の効果】
【００１９】
本発明に係る自動販売機においては、風胴内のヒーター設置部空間を下部空間と上部空間とに画成する仕切板を設け、少なくとも上部空間を循環空気が通る通路として構成し、この通路内の頂壁に、ヒーターを固定したので、下部空間が断熱空間となり、ヒーターの輻射熱による商品収納庫床面の温度上昇を低減できる。すなわち、上部空間の底板となる仕切板は加熱されて約１００℃〜１５０℃となるが、下部の商品収納庫床面の温度は間に断熱空間があるため従来に比べて低下する。このため、庫外への放熱量が減少し、消費電力量の低減化が図れる。
【００２０】
また、下部空間と上部空間とを、循環空気が通る２系統の通路として構成し、下部空間にも循環空気を通すことで、上部空間の底板となる仕切板の温度を仕切板下面側からも循環空気により奪うことができる。このため、熱交換効率が向上すると同時に、仕切板の冷却効果が得られ、商品収納庫床面の温度をさらに低下させることができ、庫外への放熱量の更なる減少が可能となり、省エネ効果を高めることができる。
【００２１】
また、下部空間の周壁を、熱伝導率の小さい部材により構成することで、断熱性能を高めることができ、商品収納庫床面の温度をさらに低下させることができる。
【００２２】
本発明に係る自動販売機においては、風胴のヒーター設置部と商品収納庫の床面との間に断熱空間を形成するとともに、ヒーター設置部を、床面との接触面積が小さい複数の脚部材により支持させたので、商品収納庫床面への熱伝達をさらに抑制することができる。
【図面の簡単な説明】
【００２３】
【図１】本発明の実施形態１に係る自動販売機の要部の概略構成を示す縦断面図および斜視図である。
【図２】本発明の実施形態２に係る自動販売機の要部の概略構成を示す縦断面図および斜視図である。
【図３】本発明の実施形態３に係る自動販売機の要部の概略構成を示す斜視図である。
【図４】本発明の実施形態４に係る自動販売機の要部の概略構成を示す斜視図である。
【図５】従来の自動販売機の全体構成を側方より見た断面図である。
【図６】自動販売機の冷却専用の冷凍回路図である。
【発明を実施するための形態】
【００２４】
実施形態１．
以下、図示実施形態により本発明を説明する。
図１は本発明の実施形態１に係る自動販売機の要部の概略構成を示す縦断面図および斜視図であり、図中、前述の従来例に相当する部分には同一符号を付してある。
【００２５】
本実施形態の自動販売機は、商品収納庫１の床面１９上に設置されて循環ダクト１１に連なる風胴が、第１の熱交換室８とその下流側に接続された第２の熱交換室３０とで構成され、第１の熱交換室８内に、冷却装置の蒸発器６と、商品収納庫１内の空気を循環するための送風手段である庫内ファン９が設置されている。第２の熱交換室３０は、ヒーター設置部空間を構成するもので、内部が仕切板３１によって下部空間３２ａと上部空間３２ｂとに画成されている。このうち上部空間３２ｂは、第１の熱交換室８と連通されて循環空気が通る通路として構成され、この通路（上部空間３２ｂ）内の頂壁にヒーター７が固定されている。一方、下部空間３２ａは、第１の熱交換室８とは連通されておらず、ここでは風が流通しない断熱空間として構成されている。また、仕切板３１の先端（下流側端）３３が斜め上向きに形成され、第２の熱交換室３０の上部空間３２ｂを通ってきた風を上方向に向かわせる風向板として機能するようになっている。冷却装置を含むそれ以外の構成は、図５及び図６と同一である。
【００２６】
このように、本実施形態の自動販売機においては、風胴内のヒーター設置部空間すなわち第２の熱交換室３０を、下部空間３２ａと上部空間３２ｂとに画成する仕切板３１を設け、上部空間３２ｂを循環空気が通る通路として構成し、この通路内の頂壁に、ヒーター７を固定したので、下部空間３２ａが断熱空間となり、ヒーター７の輻射熱による商品収納庫床面１９の温度上昇を低減できる。すなわち、上部空間３２ａの底板となる仕切板３１は加熱されて約１００℃〜１５０℃となるが、下部の商品収納庫床面１９の温度は間に断熱空間があるため従来に比べて低下する。このため、庫外への放熱量が減少し、消費電力量を低減させることができる。
【００２７】
実施形態２．
図２は本発明の実施形態２に係る自動販売機の要部の概略構成を示す縦断面図および斜視図であり、図中、前述の実施形態１と同一部分には同一符号を付してある。
【００２８】
本実施形態の自動販売機は、風胴内のヒーター設置部空間すなわち第２の熱交換室４０の内部が、循環空気が通る２系統の通路として構成されるように、仕切板４１によって下部空間４４ａと上部空間４４ｂとに画成したものである。
【００２９】
これを更に詳述すると、仕切板４１は、その基端（上流側端）４２が斜め上向きに形成され、これによって庫内ファン９の吹出口の一部が下部空間４４ａにかかり、下部空間４４ａへも風を流すことができるようになっている。また、仕切板４１は、その先端（下流側端）が前述の実施形態１のものよりも短尺に形成されている。一方、第２の熱交換室４０の底面の先端部には、第２の熱交換室４０の２系統の通路、つまり上部空間３２ｂと下部空間４４ａを通ってきた風を上方向に向かわせる風向板４５が設けられており、風向板４５と仕切板４１の先端との間に、下部通路（下部空間４４ａ）の吹出口４３が形成されるようになっている。冷却装置を含むそれ以外の構成は、図５及び図６と同一である。
【００３０】
このように、本実施形態の自動販売機においては、風胴内のヒーター設置部空間すなわち第２の熱交換室４０内空間を画成する仕切板４１の上下に、循環空気が通る下部空間４４ａと上部空間４４ｂとからなる２系統の通路を設け、下部空間４４ａにも循環空気を通すことで、上部空間４４ｂの底板となる仕切板４１の温度を仕切板下面側からも循環空気により奪うことができようにしたので、熱交換効率が向上すると同時に、仕切板４１の冷却効果が得られ、商品収納庫床面１９の温度をさらに低下させることができる。このため、庫外への放熱量の更なる減少が可能となり、省エネ効果を高めることができる。
【００３１】
実施形態３．
図３は本発明の実施形態３に係る自動販売機の要部の概略構成を示す斜視図であり、図中、前述の実施形態１と同一部分には同一符号を付してある。
【００３２】
本実施形態の自動販売機は、前述の実施形態１のものにおけるヒーター設置部すなわち第２の熱交換室３０Ａの下部空間３２ａの周壁３５を、熱伝導率の小さい、例えば樹脂製部材により構成したものである。冷却装置を含むそれ以外の構成は、図５及び図６と同一である。
【００３３】
本実施形態の自動販売機においては、第２の熱交換室３０Ａの下部空間３２ａの周壁３５を、熱伝導率の小さい樹脂製部材により構成したので、断熱性能を高めることができ、商品収納庫床面の温度をさらに低下させることができる。
【００３４】
実施形態４．
図４は本発明の実施形態４に係る自動販売機の要部の概略構成を示す斜視図であり、図中、前述の実施形態１と同一部分には同一符号を付してある。
【００３５】
本実施形態の自動販売機は、前述の実施形態１のものにおけるヒーター設置部すなわち第２の熱交換室３０Ｂの下部空間３２ａの周壁を取り払って吹き抜けとし、商品収納庫１の床面１９（図５参照）との間に断熱空間を形成するとともに、第２の熱交換室３０Ｂを、床面との接触面積が小さい複数の脚部材３６により支持させたものである。冷却装置を含むそれ以外の構成は、図５及び図６と同一である。
【００３６】
本実施形態の自動販売機においては、第２の熱交換室３０Ｂの下部空間３２ａが吹き抜けからなり、かつ第２の熱交換室３０Ｂが、床面との接触面積が小さい複数の脚部材３６により支持されているので、下部空間３２ａに熱がこもることがなく、かつ商品収納庫床面１９への熱伝達をさらに抑制することができる。
【符号の説明】
【００３７】
１  商品収納庫
７  ヒーター
８  第１の熱交換室（風胴）
９  庫内ファン（送風手段）
１１  循環ダクト
１９  床面
３０，３０Ａ，３０Ｂ，４０  第２の熱交換室（ヒーター設置部空間）
３１，４１  仕切板
３２ａ，４４ａ  下部空間
３２ｂ，４４ｂ  上部空間
３５  下部空間の周壁
３６  脚部材
１００  自動販売機
【図１】
2010191765.tif 000003
【図２】
2010191765.tif 000004
【図３】
2010191765.tif 000005
【図４】
2010191765.tif 000006
【図５】
2010191765.tif 000007
【図６】
2010191765.tif 000008